(57)【要約】【課題】居住施設の各居室に対する設備工事を容易にすることが可能な水周りユニットを提供する。【解決手段】居室に配置される水周りユニット１である。上記水周りユニット１を構成するパネルに対し、スプリンクラヘッド３及び感知器４から延びる配管や配線と脱着可能に接続可能な各種するコネクタ部１２，１３が設けられている。その各コネクタ部１２，１３は、上記ユニット１に予め取り付けられた各配管や配線を通じて、それぞれシャフトスペース側の対応する配管や配線と着脱可能に接続する。【選択図】        図１
2004324279.tif 000002
【特許請求の範囲】
【請求項１】
居室に配置される水周りユニットであって、上記水周りユニットを構成するパネルに対し、上記居室に配置される予定の水周りユニット用途外の各設備機器から延びる配管や配線と脱着可能に接続可能な各種コネクタ部が設けられ、その各コネクタ部は、上記水周りユニットに予め取り付けられた各配管や配線を通じて、それぞれシャフトスペース側の対応する配管や配線と接続していることを特徴とする水周りユニット。
【請求項２】
上記居室に配置される予定の水周りユニット用途外の設備の一部は、スプリンクラヘッド及び感知器の少なくとも一方であることを特徴とする請求項１に記載した水周りユニット。
【請求項３】
居室に配置される水周りユニットであって、上記水周りユニットに対し、上記居室に配置される予定の水周りユニット用途外の各設備機器が当該水周りユニットの外面に一体に若しくは着脱可能に組み付けられていて、その設備機器の配管や配線は、上記水周りユニットに予め取り付けれた各配管や配線を通じて、それぞれシャフトスペース側の対応する配管や配線と接続していることを特徴とする水周りユニット。
【発明の詳細な説明】
【０００１】
【発明の属する技術分野】
本発明は、宿泊施設や寮などの居住施設の各居室に配置される、サニタリーユニット、浴室ユニット、便所ユニット、洗面所ユニット、キッチンユニットなどの水周りユニットに関する。
【０００２】
【従来の技術】
宿泊施設などの居住施設にあっては、各居室毎に、水周りユニットの一つであるバスユニットが配置されると共に、バスユニット用途以外の、電気設備、衛生設備、情報設備などの各種の設備機器が配置される。
居住施設で使用されるバスユニットとしては、例えば特許文献１に記載されているようなものがある。水周りユニットであるバスユニットは、一般に、パイプシャフトや電気シャフトに使用されるシャフトスペースの近傍に配置されて、当該バスユニットで使用される給排水管等が、シャフトスペース側の対応する給排水管等に接続される。
なお、宿泊施設などにあっては、各居室の設備機器は、同様なものが同じようなレイアウトでそれぞれ配置される。
【０００３】
【特許文献１】
特開平０９−１９５５４６号公報
【０００４】
【発明が解決しようとする課題】
居室に配置される設備機器であって、バスユニットの用途とは関係の無いバスユニット用途外の設備機器（室内照明、スプリンクラ、煙感知器、放送設備などのバスユニットの外で使用するもの）は、上記バスユニットの設置作業とは別に居室への施工が行われる。つまり、上記各設備機器の配線・配管は、それぞれ個別に、居室を構成する床・壁・天井の仕上面から躯体までの間に配線・配管作業を行って、上記床・壁・天井の仕上面に設備機器を手作業で取り付けているため、工事に手間が掛かると共に、コスト増大に繋がる。
【０００５】
特に、ホテルなどの宿泊施設を考えた場合には、各客室パターンの多くは繰り返しパターンであるにも拘わらず、各客室毎に個別に、上記のような部屋の床・壁・天井内に配線配管の施工を現場で行う必要があることから、特に工事が煩雑且つコスト増となり、非効率である。
また、設備の配管・配線部分の修繕・更新時には、内装のやり直し工事が発生するおそれもある。
【０００６】
本発明は、上記のような点に着目してなされたもので、居住施設の各居室に対する設備工事を容易にすることが可能な水周りユニットを提供することを課題とするものである。
【０００７】
【課題を解決するための手段】
上記課題を解決するために、本発明のうち請求項１に記載した発明は、居室に配置される水周りユニットであって、上記水周りユニットを構成するパネルに対し、上記居室に配置される予定の水周りユニット用途外の各設備機器から延びる配管や配線と脱着可能に接続可能な各種コネクタ部が設けられ、その各コネクタ部は、上記水周りユニットに予め取り付けられた各配管や配線を通じて、それぞれシャフトスペース側の対応する配管や配線と接続していることを特徴とするものである。
【０００８】
ここで、上記各設備機器自体は、居室の天井・壁・床に設置されていても良いし、水周りユニットのパネルや枠部材自体に取り付けられていても良い。
本発明によれば、水周りユニットの取付け時に、シャフトスペース側の各種配管・配線と、居室に配置される予定の各設備機器の配管や配線に接続される配管・配線との接続を行うことが可能となる。しかも、この接続は、通常、シャフトスペースに近い位置で行われる。
【０００９】
従って、居室に配置される予定の各設備機器は、必ずしも天井裏・壁内・床下などを通して配管・配線の敷設作業をすることなく、水周りユニットに設けられたコネクタ部を通して接続することで施工が可能となる。
次に、請求項２に記載した発明は、請求項１に記載した構成に対し、上記居室に配置される予定の上記水周りユニット用途外の設備の一部は、スプリンクラヘッド及び感知器の少なくとも一方であることを特徴とするものである。
【００１０】
次に、請求項３に記載した発明は、居室に配置される水周りユニットであって、上記水周りユニットに対し、上記居室に配置される予定の上記水周りユニット用途外の各設備機器が当該水周りユニットの外面に一体に若しくは着脱可能に組み付けられていて、その設備機器の配管や配線は、上記水周りユニットに予め取り付けれた各配管や配線を通じて、それぞれシャフトスペース側の対応する配管や配線と接続していることを特徴とするものである。
本発明においては、水周りユニットに対して、予め上記居室に配置される予定の設備機器が取り付けられているので、その取り付けられている設備機器については、天井裏・壁内・床下などを通して配管・配線の施工を行う必要が無い。
【００１１】
【発明の実施の形態】
次に、本発明の実施形態について図面を参照しつつ説明する。
本実施形態では、居室としてホテルなどの宿泊施設の客室を例示している。また、水周りユニットとして、浴室と便所が一体になっているサニタリーユニットを例に挙げて説明する。
【００１２】
なお、水回りユニットは、天井部・床部・壁部を構成するパネルが、工場で一体成形されたものの他、工場で各部分が製造されて、壁パネルや床パネルなどを現場で組み立てる方式や、上部と下部に上下に分割された一体形式など、各種のものがある。
図１は、本実施形態に係る客室内の配置を示す図であって、符号１がサニタリーユニットを、符号２がベッドを、符号３がスプリンクラヘッドを、符号４が火災により生じる熱や燃焼生成物を感知する感知器をそれぞれ表している。
【００１３】
上記サニタリーユニット１は、図２〜図４に示すように、独立した２室１ａ、１ｂから形成され、一方の室内１ａが浴室としてのシャワーバスルームであり、他方の室１ｂがトイレとなっている。
そして、上記サニタリーユニット１を構成する各パネルの外面には、当該サニタリーユニット用途以外の各種の設備機器が取り付けられている。
【００１４】
そのユニット１に取り付けられている各種の設備機器について説明する。
天井パネルに空調機５が設置されると共に、パネルに形成した吹出口７を通じて室内の空調が可能となっている。符号６は吸気ガラリを示す。また、壁パネルには、室内灯を構成する、上部の照明８、フットライト照明９、タスク照明１０がそれぞれ取り付けられている。さらに、ベッド２側の壁パネルには、洗面器兼ナイトライト１９や、液晶モニタや操作盤などからなる情報設備１１が設けられている。
【００１５】
符号１２は壁パネルに設けられたライティングデスクである。また、電話や放送設備なども上記ユニット１に設けられていても良い。
さらにまた、上記壁パネルの上部には、感知器４の配線（信号線）に接続する感知器用コネクタ部１２や、スプリンクラヘッド３に連続する配管に接続するためのスプリンクラ用コネクタ部１３が設けられている。
【００１６】
水周りユニットである上記ユニット１は、図２〜図３に示すように、縦方向に延びるシャフトスペースＳＰに近づけて居室内に配置され、サニタリールームのための設備機器（ユニット１内にあるシャワー、大便器、照明、水洗設備など）に接続する給排水配管や電気線の他、上述のサニタリーユニット用の設備機器以外の各種の設備機器に接続した各種の配管・電気配線が、サニタリーユニット１を構成するパネルや枠部材に予め取り付けられている。その各種の配管・電気配線はシャフトスペース側にまで延びて、シャフトスペースＳＰ内の対応する配管・配線とそれぞれ着脱可能に接続される。なお、図４に示す電気配線図では、照明系統と感知設備用の配線を代表して図示して、換気ファン、空調機、情報設備などの配線については図示を省略している。
【００１７】
なお、ユニット１のパネルなどへの上記各種の配管・電気配線の取付けは、工場において実施されている。複数のパネルに亘って配管・配線されているものについて、現場で組み立てる形式のユニット１の場合には、パネルを組み付ける際に、その配管・配線についての接続作業も行われる。
ここで、上記ユニット１側の各配管・配線と、シャフトスペースＳＰ側の対応する配管・配線との接続例について説明する。
【００１８】
気体が流通する配管、例えば排気管２０は、図５のように、シャフトスペースＳＰ側端部と、シャフトスペースＳＰ内の主管から分岐させた配管２１の端部とを突き合わせてフランジ２０ｂ、２１ｂ同士をボルトで締付けて接続する。このとき上記排気管２０におけるシャフト側位置にフレキシブル部２０ａを形成しておくことで、接続する際の位置調整が可能となっている。
【００１９】
液体が流通する給排水管については、図６のように、ユニット１側の配管２２に対し、Ｚ状などの撓んだような形状に予め成形してなる水平部２２ａを予め設けておく。そして、シャフトスペースＳＰ内の主管から分岐させた配管２３の先端部に接続用のジョイント部２４を先付けしておき、ユニット１側の配管２２を、上記ジョイント部２４との間にすきまが空く程度に上記水平部２２ａを水平変形させるように、図６（ａ）に示すように、ユニット１側に配管を引っ張って変形させ、続いて図６（ｂ）のように、復元させる際にジョイント部２４に篏め込み、さらに接着やねじ込みなどで緊結して接続する。
【００２０】
電気線や信号線などの配線については、図４のように、シャフトスペースＳＰ側のパネルに配電盤などの電気設備接続部１５を設けておき、シャフトスペースＳＰから延ばした対応する配線をそれぞれ、公知のコネクタを通じて着脱可能に接続する。
このシャフトスペースＳＰ側の配管・配線との接続を行うことで、ユニット１のパネルに取り付けられたユニット用途及びユニット用途外の各種設備が使用可能となる。
【００２１】
また、上記感知器４を配置する側に向くユニット１のパネル上部には、感知器４から延びる信号線を接続するための感知器用コネクタ部１２が設けられている。そして、そのコネクタ部１２に接続する信号線（配線）１６が、上述のように、予めパネルに沿って上記電気設備接続部１５まで延び、当該電気設備接続部１５を介してシャフトスペースＳＰ側の信号線に接続される。
【００２２】
また、スプリンクラヘッダを設置する側に向くユニット１のパネル上部には、スプリンクラ用コネクタ部１３が設けられている。そして、そのコネクタ部１３に接続するスプリンクラ用配管１７が、上述のように、予めパネルに沿ってシャフトスペースＳＰ側にまで延び、上述のようにしてシャフトスペースＳＰ側の配管に接続される。
【００２３】
そして、上記サニタリーユニット１の取付けを行った後に、上記感知器用コネクタ部１２に対して、感知器４から延びる信号線の端部を接続して天井の下面に沿ってその信号線を設置すると共に感知器４自体を天井に設置する。
同様に、上記スプリンクラ用コネクタ部１３に、スプリンクラヘッド３から延びる配管の端部を接続した後に、当該スプリンクラヘッド３から延びる配管を天井の下面に取り付けると共に、スプリンクラヘッド３自体も天井に取り付けて設置する。
【００２４】
次に、上記ユニット１の作用・効果などについて説明する。
上述のように、工場にてユニット１を作製する際に、客室内で使用されるユニット用途外の設備機器の一部も当該ユニット１に組み込まれ、その設備機器の配管・配線についても、ユニット１を構成するパネルに沿って予め配置される。このため、現場におけるユニット１の設置の際に、シャフトスペースＳＰの近傍に配置された配管配線と、シャフトスペースＳＰ側の配管配線の接続作業を行うだけで、上記空調機器やライト、情報設備などのユニット１に組み込んだ設備が使用可能な状態となる。
【００２５】
すなわち、ユニット１の取付けとは別に、上記ユニット用途外の設備機器のための配管や配線を天井裏や壁内などに配設する作業が不要となる。
また、スプリンクラヘッド３及び感知器４のような、ユニット１に直付けしないユニット用途外の設備機器についても、上述のようにユニット１を設置することで、コネクタ部がユニット１に形成され、上述のように、設備機器（スプリンクラユニット１や感知器４）の設置が、ユニット１のコネクタ部と対応する配線配管をその対応するコネクタ部に接続して設置するだけであるので、スプリンクラ及び感知器４の設備作業が大幅に容易となる。
【００２６】
すなわち、従来であれば、例えばスプリンクラ用配管１７を、シャフトスペースＳＰから天井裏を通して配設するように施工する必要があるが、本実施形態では、シャフトスペースＳＰ近傍に配置されるユニット１の取付け時に、ユニット１に予め設けられた配管の端部をシャフトスペースＳＰ側の配管に接続するだけで、スプリンクラヘッド３側のユニット１のパネル位置に接続部が形成され、その接続部であるコネクタ部にスプリンクラヘッド３から延びる配管を接続するだけでシャフトスペースＳＰ内の配管との配管接続が完了する。
【００２７】
ここで、上記ユニット１に予め設けるユニット用途外の設備機器は、上記の設備機器に限定されない。客室で使用される予定の設備であれば、他の設備機器であっても良い。
また、ユニット用途外の設備機器であって、ユニット１に直付けしない設備機器についても上記スプリンクラヘッド３に限定されない。
また、上記実施形態においては、サニタリーユニット１を例示したが、これに限定されない。対象とする居室に配置される水周りユニットであれば、キッチンユニット１など他の水周りユニットであっても構わない。
【００２８】
【発明の効果】
以上説明してきたように、本発明の水周りユニットを採用すると、その水周りユニットを設置することで、水回りユニット用途外の設備機器の居室への設置も容易になるという効果がある。
【図面の簡単な説明】
【図１】本発明に基づく実施形態に係る居室内の設備の配置を示す図である。
【図２】本発明に基づく実施形態に係る給排水配管図である。
【図３】本発明に基づく実施形態に係る空調換気配管図である。
【図４】本発明に基づく実施形態に係る電気配線図である。
【図５】本発明に基づく実施形態に係る排気管の接続構造例を説明する図である。
【図６】本発明に基づく実施形態に係る給排水管の接続構造例を説明する図である。
【符号の説明】
ＳＰ  シャフトスペース
１    サニタリーユニット（水周りユニット）
３    スプリンクラヘッド
４    感知器
５    空調機
６    ガラリ
７    吹出口
８，９，１０  室内灯
１１  情報機器
１５  電気設備接続部
１７  スプリンクラ用配管
【図１】
2004324279.tif 000003
【図２】
2004324279.tif 000004
【図３】
2004324279.tif 000005
【図４】
2004324279.tif 000006
【図５】
2004324279.tif 000007
【図６】
2004324279.tif 000008